(57)【特許請求の範囲】
【請求項１】
建物の開口に設けられるドアと、該ドアの下端を枢支する軸を有し該軸を介してドアを閉方向に付勢する機能を有する本体をケーシング内に収納し、該ケーシングの上端開口部を化粧プレートで密閉したフロアヒンジとを備えた開口部装置であって、前記ケーシングの上端開口部の対向両側部間に跨って前記本体の浮き上がり及びケーシングの変形を防止するための連結部材を設け、該連結部材はフラットバーからなることを特徴とする開口部装置。
【発明の詳細な説明】
【０００１】
【発明の属する技術分野】
本発明は、開口部装置に係り、特にフロアヒンジの構造を改良した開口部装置に関する。
【０００２】
【従来の技術】
開口部装置としては、建物の開口に設けられるドアと、該ドアの下端を枢支する軸を有し該軸を介してドアを閉方向に付勢する機能を有する本体をケーシング内に収納し、該ケーシングの上端開口部を化粧プレートで密閉したフロアヒンジとを備えたものが知られている。この種の開口部装置は、例えばビルの玄関口や店舗の入口などに用いられている。また、フロアヒンジとしては、各種のものが提案されている（実開昭５８−５７９０７号公報、実公平３−５４５３８号公報、特開２００１−７２６２３号公報等参照）。
【０００３】
前記フロアヒンジの本体は、ケーシング内に調整ボルトを介して調整可能に固定されている。
【０００４】
【発明が解決しようとする課題】
しかしながら、前記開口部装置においては、フロアヒンジの本体がケーシング内に調整ボルトを介して固定されているに過ぎないため、ドアを所定の開度以上に無理矢理開こうとすると、その力で本体が浮き上がってしまう問題があった。また、ドアを所定の開度以上に無理矢理開こうとすると、その力が本体を介してケーシングに加わり、ケーシングが変形する問題もあった。
【０００５】
本発明は、前記事情を考慮してなされたもので、ドアを所定開度以上に無理矢理開けたときに生じる本体の浮き上がり及びケーシングの変形を防止でき、耐久性の向上が図れる開口部装置を提供することを目的とする。
【０００６】
【課題を解決するための手段】
本発明のうち、請求項１に係る発明は、建物の開口に設けられるドアと、該ドアの下端を枢支する軸を有し該軸を介してドアを閉方向に付勢する機能を有する本体をケーシング内に収納し、該ケーシングの上端開口部を化粧プレートで密閉したフロアヒンジとを備えた開口部装置であって、前記ケーシングの上端開口部の対向両側部間に跨って前記本体の浮き上がり及びケーシングの変形を防止するための連結部材を設け、該連結部材はフラットバーからなることを特徴とする。
【０００７】
【発明の実施の形態】
以下に、本発明の実施の形態を添付図面に基いて詳述する。図１は本発明の実施の形態を示す開口部装置の概略的正面図、図２はフロアヒンジの一部断面側面図、図３は同フロアヒンジのケーシング内の本体を示す平面図、図４は同フロアヒンジの一部断面斜視図、図５は防水シートの断面図、図６はケーシングの防水シート上に化粧プレートを装着する状態を示す斜視図である。
【０００８】
図１において、１は建物の開口２例えばビルの玄関口や店舗の入口に設けられる開口部装置（ドア装置）で、主として、開口２に設けられるドア（扉体）３、該ドア３の下端を枢支するフロアヒンジ４とを備えている。更に具体的に説明すると、前記開口部装置１は、開口２を形成する上枠もしくは無目５ａおよび左右の縦枠５ｂ，５ｂからなる開口枠５を有し、この開口枠５内にドア３を開閉自在に設けるために、床６にはドア３の吊元側下端を回動自在に支持するフロアヒンジ４が埋設され、前記上枠もしくは無目５ａにはドア３の吊元側上端を回動自在に支持するピボットヒンジ７が設けられている。ドア３の吊元側上端にはピボットヒンジ７の下向きに突出した軸を回動自在に支持する軸受部が設けられている（図示省略）。
【０００９】
前記フロアヒンジ４は、図２ないし図３に示すように、ドア３の吊元側下端を枢支するための上向きに突出した軸８を有し、この軸８を介してドア３を閉方向に付勢する機能を有する本体（フロアヒンジ本体）９と、この本体９を収納する上面が開口された有底筐体形状のケーシング１０と、このケーシング１０の上端開口部１１を防水シート１２を介して密閉する蓋体（上蓋）である化粧プレート１３とから主に構成されている。フロアヒンジ４の軸（突出部分）８は、ドアに回動力を伝えるために断面略長方形状に形成されており、ドア３の吊元側下端にはフロアヒンジ４の軸８を係合させる係合受部（図示省略）が設けられている。
【００１０】
前記本体９の外周には、ケーシング１０の内周面に対して本体９の位置調整および固定を行うための調整ボルト１４が複数取付けられている。本体９には、前記軸８をドア閉方向に付勢する機構並びに軸８をドア閉位置およびドア開位置に停止させる機構が内蔵されている。本体９の上面には軸８を貫通させた同心円状の突出部１５が設けられ、この突出部１５の外周には雄ねじ部１６が形成されている。前記ケーシング１０の上端開口周縁部には外向きのフランジ部１７が形成され、このフランジ部１７には化粧プレート１３を固着具例えばネジ１８で取付固定するためのねじ孔１９が適宜設けられている。
【００１１】
ドア３を所定開度以上に無理矢理開けたときに生じる本体９の浮き上がりおよびケーシング１０の変形を防止するために、ケーシング１０の上端開口部には、長辺側の対向両側部間に跨って連結部材２０が設けられている。この連結部材２０は、金属製のフラットバーからなり、ケーシング１０の長手方向略中間部における対向内側面部には、連結部材２０の両端部を載置して固着具例えば取付ネジ２１で固定するための固定腕部２２が設けられている。
【００１２】
また、ケーシング１０を鉄筋２３に固定するときの溶接に起因するケーシング１０の腐食およびドア３を所定開度以上に無理矢理開けたときに生じるケーシング１０の変形を防止するために、前記ケーシング１０の長辺側の外側部には、その長手方向に連続して固定部材２４が設けられている。この固定部材２４は断面Ｌ字状の長尺のアングル材からなり、ケーシング１０の外側面にその長手方向に沿って一体的に固定されており、この固定部材２４の突出部分２４ａに鉄筋２３を溶接で固定するようになっている。
【００１３】
前記防水シート１２および化粧プレート１３は、前記ケーシング１０上端のフランジ部１７に載置されてケーシング１０の上端開口部１１を覆う大きさの長方形状に形成されている。また、防水シート１２および化粧プレート１３には、ケーシング１０のフランジ部１７に形成したねじ孔１９と対応する孔２５，２６が形成されている。また、防水シート１２および化粧プレート１３には、本体９の上面に突設した突出部１５を貫通させるための円形の開口部２７，２８が形成されている。
【００１４】
特に、防水シート１２は、図５に示すように、ケーシング１０側の面（下面）に潰れ密着性（押し潰されることにより密着性を発揮する性質）を有する防水層３０を、化粧プレート１３側の面（上面）に平滑性（滑り易い性質）を有する平滑層３１を備えた二層構造とされている。防水層３０は例えばノルシール（商品名）からなり、平滑性層３１は例えば軟質樹脂シート（例えばＥＰＤＭ）からなり、これら防水層３０と平滑層３１は接着一体化されている。
【００１５】
前記化粧プレート１３は例えばステンレス板からなっている。この化粧プレート１３は、本体９の調整に伴う化粧プレート１３の脱着作業の作業性を良くするために、円形の開口部２８を挟んで二分割可能に構成されている。すなわち、化粧プレート１３は、円形の開口部２８を形成すべく一端にＵ字状の切欠部３２が形成された第１の分割片１３ａと、その切欠部３２に嵌まる第２の分割片１３ｂとに分割されており、図６に示すようにケーシング１０に第２の分割片１３ｂを取付けた状態のままで第１の分割片１３ａのみを脱着できるようになっている。
【００１６】
ケーシング１０内の本体９の調整は第１の分割片１３ａを取外し、防水シート１２をめくることで容易に行うことができる。第１の分割片１３ａの脱着（取外し取付け）はフロアヒンジ４の上方にドア３がある場合、限られた空間を利用して第１の分割片１３ａを防水シート１２の上面にスライドさせて行うが、防水シート１２の上面が平滑層３１になっているため円滑に行うことができる。なお、図示例の化粧プレート１３の上面にはリブ３３が形成されているが、このリブ３３は必ずしも形成されている必要はない。
【００１７】
前記本体９の突出部１５には、前記防水シート１２及び化粧プレート１３の円形の開口部２７，２８を覆うと共に化粧プレート１３の上面を押え付けて防水シート１２を本体９の上面に押圧（密着）するためのキャップ３４が着脱自在に取付けられる。このキャップ３４には、前記突出部１５の雄ねじ部１６に螺合する雌ねじ部３５と、前記軸８を貫通させる軸孔３６が設けられている。キャップ３４の外周部には、工具例えばマイナスドライパを係合させてキャップ３４を回転させるための係合溝３７が適宜形成されている。また、前記突出部１５の上端面には、キャップ３４との間をシールするための円環状のパッキン３８が取付けられている。
【００１８】
次に、以上の構成からなる開口部装置１の作用を述べる。建物に開口部装置１を設置する場合には、先ず、開口枠５を設置すると共に床６の所定位置にフロアヒンジ４を埋設する。その場合、床６を掘り下げてフロアヒンジ４のケーシング１０を設置し、予め床内ないし地中に設置した鉄筋２３にケーシング１０の外側部に設けられた固定部材２４を溶接で固定する。
【００１９】
そして、フロアヒンジ４の設置後、床６をコンクリート、タイル等で仕上げる。これにより、床内ないし地中にケーシング１０をしっかりと固定することができる。前記ケーシング１０の上面には防水シート１２を介して化粧プレート１３が取付けられており、この化粧プレート１３が床面に対して略面一とされている。
【００２０】
次に、開口枠５内にドア３を建て込む。この場合、フロアヒンジ４の軸８にドア３の吊元側下端の係合受部を係合させて枢支し、上枠もしくは無目５ａに設けたピボットヒンジ７の軸をドア３の吊元側上端の軸受部に嵌合させて枢支する。次に、フロアヒンジ４の本体９の調整を行う場合には、本体９の突出部１５に螺着して締付けられているキャップ３４を緩め、化粧プレート１３の第１の分割片１３ａをケーシング１０から取外し、防水シート１２をめくり上げる。そして、本体９の上面を拘束している連結部材２０の取付ネジ２１を緩め、調整ボルト１４を回して本体９の動作および位置を調整した後、これらの調整ボルト１４を締付けて本体９をケーシング１０内に固定すると共に連結部材２０の取付ネジ２１を締付ける。
【００２１】
次に、防水シート１２をケーシング１０の上面に被せ直し、この防水シート１２の上面に化粧プレート１３の第１の分割片１３ａをスライドさせて載置し、この第１の分割片１３ａをケーシング１０のフランジ部１７に対してネジ１８で締付けて固定する。この締付により防水シート１２の潰れ密着性を有する防水層３０がケーシング１０のフランジ部１７に押付けられて密着し、防水シート１２の周縁部とケーシング１０の開口部周縁部（フランジ部）との間がシールされる。
【００２２】
また、前記キャップ３４の係合溝３７に工具例えばマイナスドライバーを係合させてキャップ３４を回転させて締付ける。これにより、キャップ３４が化粧プレート１３の開口部周縁の上面部を押付け、防水シート１２の開口部周縁を本体９の上面に押圧し、防水シート１２の開口部周縁と本体９との間がシールされる。また、キャップ３４と突出部１５との間のパッキン３８が押し潰されることにより、キャップ３４と突出部１５との間がシールされる。
【００２３】
以上の構成からなる開口部装置１によれば、建物の開口２に設けられるドア３と、該ドア３の下端を枢支する軸８を有し該軸８を介してドア３を閉方向に付勢する機能を有する本体９をケーシング１０内に収納し、該ケーシング１０の上端開口部１１を化粧プレート１３で密閉したフロアヒンジ４とを備え、前記ケーシング１０の上端開口部１１の対向両側部間に跨って前記本体９の浮き上がり及びケーシング１０の変形を防止するための連結部材２０を設けているため、ドア３を所定開度以上に無理矢理開けたときに生じる本体９の浮き上がり及びケーシング１０の変形を簡単な構成で防止でき、耐久性の向上が図れる。
【００２４】
また、前記ケーシング１０の外側部にその長手方向にこれを補強すると共に鉄筋２３に固定するための固定部材２４を設けているため、その固定部材２４を鉄筋２３に溶接することにより溶接熱の影響をケーシング１０に直接与えなくなる。これにより、フロアヒンジ４のケーシング１０を鉄筋２３に固定するときの溶接に起因する腐食を防止でき、耐久性の向上が図れる。しかも、ケーシング１０が固定部材２４によって補強されていることから、ドア３を所定開度以上に無理矢理開けたときに生じるケーシング１０の変形を防止でき、耐久性の更なる向上が図れる。
【００２５】
また、前記防水シート１２はケーシング１０側の面に潰れ密着性を有する防水層３０を、化粧プレート１３側の面に平滑性を有する平滑層３１を備えた二層構造とされているため、一枚物でありながら高い防水シール効果を奏することができると共に、ドア取付後の狭い限られた空間を利用しながら防水シート１２の上面に化粧プレート１３を滑らせて化粧プレート１３の取外し取付け作業が容易にでき、作業性の向上が図れる。しかも、防水シート１２は二層構造でありながら一枚物であるため、めくるときも容易であり、二枚物のようにずれることが無く、作業性の更なる向上が図れる。
【００２６】
以上、本発明の実施の形態を図面により詳述してきたが、本発明は前記実施の形態に限定されるものではなく、本発明の要旨を逸脱しない範囲での種々の設計変更等が可能である。前記実施の形態では、開口部装置として両開きドアが例示されているが、片開きドアであっても良い。
【００２７】
【発明の効果】
以上要するに本発明によれば、建物の開口に設けられるドアと、該ドアの下端を枢支する軸を有し該軸を介してドアを閉方向に付勢する機能を有する本体をケーシング内に収納し、該ケーシングの上端開口部を化粧プレートで密閉したフロアヒンジとを備えた開口部装置であって、前記ケーシングの上端開口部の対向両側部間に跨って前記本体の浮き上がり及びケーシングの変形を防止するための連結部材を設け、該連結部材はフラットバーからなるため、ドアを所定開度以上に無理矢理開けたときに生じる本体の浮き上がり及びケーシングの変形を簡単な構成で防止でき、耐久性の向上が図れる。
【図面の簡単な説明】
【図１】本発明の実施の形態を示す開口部装置の概略的正面図である。
【図２】フロアヒンジの一部断面側面図である。
【図３】同フロアヒンジのケーシング内の本体を示す平面図である。
【図４】同フロアヒンジの一部断面斜視図である。
【図５】防水シートの断面図である。
【図６】ケーシングの防水シート上に化粧プレートを装着する状態を示す斜視図である。
【符号の説明】
１  開口部装置
２  開口
３  ドア
４  フロアヒンジ
８  軸
９  本体
１０  ケーシング
１１  上端開口部
１３  化粧プレート
２０  連結部材
【図１】
0004693280.tif 000002
【図２】
0004693280.tif 000003
【図３】
0004693280.tif 000004
【図４】
0004693280.tif 000005
【図５】
0004693280.tif 000006
【図６】
0004693280.tif 000007